(57)【要約】【課題】ＣＰＵの冷却装置において、ファンの印加電圧をＣＰＵの温度または温度に関連する情報を基に制御し、省エネルギー化と静音化を図る。【解決手段】電流検出回路３により冷却対象となるＣＰＵ１の消費電流を検出する。回転数制御回路５では、ＣＰＵ１の消費電流信号Ａを基にファン２の回転数の設定信号Ｂを生成する。電源切替回路６はファン回転数の設定信号Ｂを基に、ファンに印加する駆動電源Ｃの電圧レベルを決定する。そして、ファン２の駆動電源Ｃの電圧レベルに応じて、電源供給元７の電源（＋１２Ｖまたは＋２４Ｖ）を切り替え、この電源によりファン２を駆動する。 このように、ＣＰＵ１の消費電流を基にファン２の回転数を決定し、該回転数に応じて駆動電源Ｃの電圧レベルを決定し、この電圧レベルに応じて電源供給元７の電源を切り替えることにより省エネルギー化を図る。【選択図】図１
2008216382.tif 000002
【特許請求の範囲】
【請求項１】
画像形成装置内の発熱源となるＣＰＵをファンにより冷却するＣＰＵ冷却装置であって、
複数の異なる電圧レベルの電源を供給する電源供給元と、
前記ＣＰＵの使用温度に関連する情報を検出する温度関連情報検出部と、
前記温度関連情報検出部から出力される温度関連情報を基に、前記ファンの回転数の設定信号を生成する回転数制御部と、
前記回転数制御部から出力されるファン回転数の設定信号を基に、前記ファンに印加する駆動電源の電圧レベルを決定すると共に、前記駆動電源の電圧レベルに対応する電源を前記電源供給元から選択し、この選択した電源を用いて前記ファンを駆動する電源切替部と
を備えることを特徴とするＣＰＵ冷却装置。
【請求項２】
前記温度関連情報検出部は、前記ＣＰＵの消費電流を検出する電流検出回路であり、
前記温度関連情報はＣＰＵの消費電流の信号であり、
前記回転数制御部は、前記電流検出回路から出力されるＣＰＵの消費電流の信号を基に、ファンの回転数の設定信号を生成する
ことを特徴とする請求項１記載のＣＰＵ冷却装置。
【請求項３】
前記温度関連情報検出部は、前記ＣＰＵの使用温度を温度センサにより検知してＣＰＵ温度信号を生成する温度検出回路であり、
前記回転数制御部は、前記温度検出回路から出力されるＣＰＵ温度信号を基に、ファンの回転数の設定信号を生成する
ことを特徴とする請求項１記載のＣＰＵ冷却装置。
【請求項４】
前記ファンは、直流モータで回転駆動される直流ファンで構成され、
前記電源供給元は、複数の電圧レベルの直流電源を供給するように構成され、
前記電源切替部は、
前記ファンの駆動電源の電圧レベルに対応する直流電源を前記電源供給元から選択する供給元切替スイッチと、
前記直流モータと前記供給元切替スイッチとの間に直列に挿入される複数の抵抗と、
前記複数の抵抗の内のいずれかまたは全部を選択使用して抵抗値を調整する抵抗選択スイッチと、
前記ファンの駆動電源の電圧レベルに応じて前記供給元切替スイッチ及び前記抵抗選択スイッチを切り替えるスイッチ切替部とを備える
ことを特徴とする請求項１〜３いずれかに記載のＣＰＵ冷却装置。
【請求項５】
前記電源切替部は、
前記ファン回転数の設定信号を基に決定したファンの駆動電源の電圧レベルが、予め定めた所定の範囲内にあり、かつ該範囲内において、前記ＣＰＵの消費電流と温度上昇の関係が予め実測されており、ＣＰＵの温度上昇に余裕があることが予め判明している場合には、
前記電源供給元から選択する電源として、現在必要としている電圧レベルよりも低い電圧レベルの電源を前記供給元切替スイッチにより選択する
ことを特徴とする請求項４記載のＣＰＵ冷却装置。
【請求項６】
ファンの回転数を検出する反射型光センサを備えると共に、前記ＣＰＵと前記反射型光センサとの間を前記ファンの羽根が通過するように構成され、
前記反射型光センサは前記ＣＰＵの表面に向けて光を放射すると共に、前記ＣＰＵの表面からの反射光を受光できるように配置され、
前記反射型光センサから前記ＣＰＵに向けて放射した光が前記ファンの羽根で遮られるか否かで発生する信号を監視して前記ファンの回転数を検出する回転数検出部を備える
ことを特徴とする請求項１〜５いずれかに記載のＣＰＵ冷却装置。
【請求項７】
前記回転数検出部は、
前記ファンの回転により発生する加振周波数が、前記ファンを取り付けた機構部の固有振動数と一致するか否か判定すると共に、前記加振周波数が固有振動数と一致すると判定した場合に、前記ファン回転数を微調整する微調整信号を生成する微調整信号生成部を備え、
前記回転数制御部は、
前記回転数検出部から出力される微調整信号と前記消費電流の信号とを基に、ファンの回転数を設定する
ことを特徴とする請求項６記載のＣＰＵ冷却装置。
【請求項８】
前記電源供給元が供給する電源の電圧がＤＣ＋１２ＶとＤＣ＋２４Ｖであり、前記ファンの最大使用電圧がＤＣ２４Ｖである
ことを特徴とする請求項１〜７いずれかに記載のＣＰＵ冷却装置。
【請求項９】
請求項１〜８いずれかに記載のＣＰＵ冷却装置に備えると共に、前記ＣＰＵ冷却装置により冷却されるＣＰＵを用いて画像データ処理を行うこと
を特徴とする画像形成装置。
【発明の詳細な説明】
【技術分野】
【０００１】
本発明は、ＣＰＵ冷却装置、及び画像形成装置に関する。
【背景技術】
【０００２】
従来の画像形成装置には、画像データ処理を行うＣＰＵを冷却するためのＣＰＵ冷却装置を備えている。ＣＰＵ冷却装置は、ＣＰＵ及びヒートシンクを冷却するファンとして、直流モータ（最大使用電圧２４Ｖ）で駆動される直流ファンを備えている。この直流ファン２は、駆動電源として＋２４Ｖが印加されるときに、最大回転数となり、印加電圧が下がるに従い回転数が低下するファンである。
【０００３】
また、ファン２の直流モータ２Ａと単一の＋２４Ｖ電源との間には、複数（例えば２または３個）の抵抗が直列に挿入され、抵抗の両端にはそれぞれ抵抗選択スイッチ（トランジスタスイッチ等）が並列に接続されている。この抵抗選択スイッチをオン・オフ制御することにより、直流モータと＋２４Ｖ電源との間に挿入される抵抗の抵抗値を変化させ、直流モータに印加する電圧を制御している。
【０００４】
例えば、印刷時にＣＰＵ１が大量の画像データ処理（例えば、入力画像データを印刷時の画像データに変換する処理）を行う時には、抵抗選択スイッチをオン・オフ制御して、＋２４Ｖ電源と直流モータとの間に挿入される抵抗値を減少させてファンに印加する電圧を上昇させ、ファンの回転数を上げることによりＣＰＵの冷却能力を増大させる。一方、印刷休止状態では、抵抗選択スイッチをオン・オフ制御して、ファンに印加する電圧を減少させ、ファンの回転数を下げることにより静音化を図っている。
【０００５】
しかしながら、上記構成のＣＰＵ冷却装置においては、印刷休止状態における抵抗での消費電力が増大し、ファンの高効率化（省エネルギー化）と静音性を両立することができず問題となっていた。
【０００６】
なお、ファンの回転数を検出する従来技術の送風機がある（例えば、特許文献１を参照）。この従来技術の送風機では、ファンの羽根を加工して光センサによるファンの回転数の検出精度を高めている。また、ファンの回転数を検出してファンの異常検知を行う従来技術として、ファン停止の異常時であってもオゾンによる汚染防止を確保することができ、且つ画像形成中の転写紙を機内より排出させるファンの異常検知装置が開示されている（例えば、特許文献２を参照）。さらに、簡易な構成でファンモータの異常を検出することのできるファンモータ異常検出器が開示されている（例えば、特許文献３を参照）。
【特許文献１】特開平４−３２４３６８号公報
【特許文献２】特開平７−５７９３号公報
【特許文献３】特開２００６−１０６４６４号公報
【発明の開示】
【発明が解決しようとする課題】
【０００７】
しかしながら、上記従来技術では、ファンの回転数を検出することによりファン回転数の制御精度の向上を図ることや、ファンの異常検知を行うことなどを目的としており、上述したファンの高効率化（省エネルギー化）や静音化という面を考慮した設計はなされていなかった。
【０００８】
本発明は、このような問題を解決するためになされたものであり、冷却ファンに印加する駆動電源の電圧レベルをＣＰＵの温度または温度に関連する情報を基に制御することにより、省エネルギー化と静音化を図ることを目的とする。
【課題を解決するための手段】
【０００９】
本発明は上記課題を解決するためになされたものであり、本発明のＣＰＵ冷却装置は、画像形成装置内の発熱源となるＣＰＵをファンにより冷却するＣＰＵ冷却装置であって、複数の異なる電圧レベルの電源を供給する電源供給元と、上記ＣＰＵの使用温度に関連する情報を検出する温度関連情報検出部と、上記温度関連情報検出部から出力される温度関連情報を基に、上記ファンの回転数の設定信号を生成する回転数制御部と、上記回転数制御部から出力されるファン回転数の設定信号を基に、上記ファンに印加する駆動電源の電圧レベルを決定すると共に、上記駆動電源の電圧レベルに対応する電源を上記電源供給元から選択し、この選択した電源を用いて上記ファンを駆動する電源切替部とを備えることを特徴とする。
【００１０】
また、本発明のＣＰＵ冷却装置においては、上記温度関連情報検出部は、上記ＣＰＵの消費電流を検出する電流検出回路であり、上記温度関連情報はＣＰＵの消費電流の信号であり、上記回転数制御部は、上記電流検出回路から出力されるＣＰＵの消費電流の信号を基に、ファンの回転数の設定信号を生成するという構成を採用する。
【００１１】
また、本発明のＣＰＵ冷却装置においては、上記温度関連情報検出部は、上記ＣＰＵの使用温度を温度センサにより検知してＣＰＵ温度信号を生成する温度検出回路であり、上記回転数制御部は、上記温度検出回路から出力されるＣＰＵ温度信号を基に、ファンの回転数の設定信号を生成するという構成を採用する。
【００１２】
また、本発明のＣＰＵ冷却装置においては、上記ファンは、直流モータで回転駆動される直流ファンで構成され、上記電源供給元は、複数の電圧レベルの直流電源を供給するように構成され、上記電源切替部は、上記ファンの駆動電源の電圧レベルに対応する直流電源を上記電源供給元から選択する供給元切替スイッチと、上記直流モータと上記供給元切替スイッチとの間に直列に挿入される複数の抵抗と、上記複数の抵抗の内のいずれかまたは全部を選択使用して抵抗値を調整する抵抗選択スイッチと、上記ファンの駆動電源の電圧レベルに応じて上記供給元切替スイッチ及び上記抵抗選択スイッチを切り替えるスイッチ切替部とを備えるという構成を採用する。
【００１３】
また、本発明のＣＰＵ冷却装置においては、上記電源切替部は、上記ファン回転数の設定信号を基に決定したファンの駆動電源の電圧レベルが、予め定めた所定の範囲内にあり、かつ該範囲内において、上記ＣＰＵの消費電流と温度上昇の関係が予め実測されており、ＣＰＵの温度上昇に余裕があることが予め判明している場合には、上記電源供給元から選択する電源として、現在必要としている電圧レベルよりも低い電圧レベルの電源を上記供給元切替スイッチにより選択するという構成を採用する。
【００１４】
また、本発明のＣＰＵ冷却装置においては、ファンの回転数を検出する反射型光センサを備えると共に、上記ＣＰＵと上記反射型光センサとの間を上記ファンの羽根が通過するように構成され、上記反射型光センサは上記ＣＰＵの表面に向けて光を放射すると共に、上記ＣＰＵの表面からの反射光を受光できるように配置され、上記反射型光センサから上記ＣＰＵに向けて放射した光が上記ファンの羽根で遮られるか否かで発生する信号を監視して上記ファンの回転数を検出する回転数検出部を備えるという構成を採用する。
【００１５】
また、本発明のＣＰＵ冷却装置においては、上記回転数検出部は、上記ファンの回転により発生する加振周波数が、上記ファンを取り付けた機構部の固有振動数と一致するか否か判定すると共に、上記加振周波数が固有振動数と一致すると判定した場合に、上記ファン回転数を微調整する微調整信号を生成する微調整信号生成部を備え、上記回転数制御部は、上記回転数検出部から出力される微調整信号と上記消費電流の信号とを基に、ファンの回転数を設定するという構成を採用する。
【００１６】
また、本発明のＣＰＵ冷却装置においては、上記電源供給元が供給する電源の電圧がＤＣ＋１２ＶとＤＣ＋２４Ｖであり、上記ファンの最大使用電圧がＤＣ２４Ｖであるという構成を採用する。
【００１７】
また、本発明の画像形成装置は、上記のいずれかに記載のＣＰＵ冷却装置に備えると共に、上記ＣＰＵ冷却装置により冷却されるＣＰＵを用いて画像データ処理を行うことを特徴とする。
【発明の効果】
【００１８】
本発明によれば、ＣＰＵの温度に関連する情報（例えば、ＣＰＵの消費電流）を基に冷却フアンの回転数を設定し、この回転数に応じてファンの駆動電源の電圧レベルを決定すると共に、ファンの駆動電源の電圧レベルに応じて電源供給元（異なる電圧レベルの電源を供給することができる大元の電源）の電源を切り替え、かつ、ファンと電源供給元の電源との間に挿入される抵抗の抵抗値を変化させてファンの回転数を調整するようにしたので、これにより、ＣＰＵ冷却装置及び画像形成装置において、省エネルギー化と静音化を図ることができる。さらに、ファンの回転により発生する加振周波数と固有振動周波数が一致しないようにファン回転数を微調整することによって静音化を図ることができる。
【発明を実施するための最良の形態】
【００１９】
以下、図面を参照して、本発明に係るＣＰＵ冷却装置及び画像形成装置の一実施形態について説明する。
図１は、本発明の一実施形態に係る画像形成装置内のＣＰＵ冷却装置の構成を示すブロック図であり、本発明に直接関係するＣＰＵと冷却ファンとその制御回路の部分を示した図である。
【００２０】
図１において、１はＣＰＵ、２はファン、３は電流検出回路、３Ａは温度検出回路、４は回転数検出回路、５は回転数制御回路、６は電源切替回路、７は電源供給元、１２はサーミスタを示している。
【００２１】
ＣＰＵ１は、冷却対象となる発熱部であり、画像形成装置において、主に画像データ処理（例えば、入力画像データを印刷用画像データに変換する処理）を行う中央処理装置である。
【００２２】
ファン２は冷却風ＤによりＣＰＵ１を冷却する直流ファン（直流モータで駆動されるファン）であり、最大使用電圧が＋２４Ｖのファンである。このファン２は、印加電圧が２４Ｖの時に最高回転数となり、印加電圧が下がるに従い回転数が減少する。
【００２３】
電流検出回路３は、ＣＰＵ１の消費電流を検出し消費電流信号Ａを出力する。この電流検出回路３は、本発明の温度関連情報検出部に相当し、ＣＰＵ１の消費電流（稼働率）を基に、ＣＰＵ１の使用温度を間接的に検出する回路である。なお、温度関連情報検出部としては、電流検出回路３に代えて、ＣＰＵ１の使用温度をサーミスタ１２により検出してＣＰＵ温度信号Ｔを生成する温度検出回路３Ａを使用してもよい。
【００２４】
回転数検出回路４（回転数検出部）は、ファン２の回転数を検出する。この回転数検出回路４は、ファンの回転により発生する加振周波数が固有振動数（ファンが取り付けられた機構部の固有振動数）と一致するか否かを判定し、一致する場合は、ファン２の回転数を微調整する微調整信号Ｅを生成し、回転数制御回路５に出力する。これにより、ファン２の回転数を変化させて静音化を図る。
【００２５】
回転数制御回路５（回転数制御部）は、電流検出回路３から出力される消費電流信号Ａと、回転数検出回路４から出力される微調整信号Ｅとを基に、ファン回転数の設定信号Bを生成し、電源切替回路６に対して出力する。
【００２６】
電源切替回路６（電源切替部）は、回転数制御回路５からファン回転数の設定信号Ｂを受け取り、ファン回転数に応じた駆動電源Ｃの電圧レベルを決定する。この電源切替回路６では、複数の異なる電圧レベルの電源を備える電源供給元（この例では、＋１２Ｖと＋２４Ｖ）７から、ファンの駆動に使用する電源を選択する機能と、該選択した電源の電圧レベルを抵抗（複数の抵抗）により調整する機能とを備えており、回転数制御回路５から出力される回転数の設定信号Ｂを基に、電源の選択及び抵抗の調整を行うことによりファン２に印加する駆動電源Ｃの電圧レベルを調整する。
【００２７】
また、図２は、図１に示す回路をより具体的な構成で示した図である。
図２において、ＣＰＵ１はヒートシンク１１上に配置され、該ヒートシンク１１及びＣＰＵ１はファン２からの冷却風Ｄにより冷却される。ＣＰＵ１の電源供給線１Ａには消費電流検出用の抵抗Ｒｓが挿入されており、電流検出回路３では、抵抗Ｒｓの両端に生じた電圧を検出することにより、ＣＰＵ１の消費電流信号Ａを生成する。
【００２８】
また、回転数検出回路４によりファン２の回転数を検出する場合に、ファン２をＣＰＵ１と反射型の光センサ２１で挟み込む構成とし、反射型光センサ２１が、ＣＰＵ１の表面に向けて光を放射すると共に、ＣＰＵ１の表面からの反射光を受光できるようにする。そして、この反射型光センサ２１により、ＣＰＵ１に向けて放射した光がファン２の羽根で遮られるか否かで発生する信号を監視してファン２の回転数を検出する。
【００２９】
また、この回転数検出回路４では、微調整信号生成部４１により、ファン２の回転により発生する加振周波数が固有振動数（ファンを取り付けた機構部の固有振動数）と一致するか否かを判定し、一致する場合はファン２の回転数を微調整する微調整信号Ｅを生成し、回転数制御回路５に出力する。回転数制御回路５では、回転数検出回路４から受け取った微調整信号Ｅを基に、ファン２の回転数を微調整することにより静音化を図る。なお、固有振動数は、予め実測した値を回転数制御回路５内に記憶させておく。
【００３０】
電源切替回路６は、ファン２の直流モータ２Ａに直列に接続される抵抗Ｒ１、Ｒ２、Ｒ３（例えば、抵抗値が異なる３種類の抵抗）と、各抵抗の両端を短絡または開放する抵抗選択スイッチＳ１、Ｓ２、Ｓ３と、抵抗Ｒ１、Ｒ２、Ｒ３を電源供給元７の＋１２Ｖまたは＋２４Ｖ電源に切り替え接続する供給元切替スイッチＳ１２、Ｓ２４とを備えている。また、抵抗選択スイッチＳ１、Ｓ２、Ｓ３、及び供給元切替スイッチＳ１２、Ｓ２４のオン、オフ制御を行うスイッチ切替部６１を備えている。なお、抵抗選択スイッチＳ１、Ｓ２、Ｓ３及び供給元切替スイッチＳ１２、Ｓ２４はトタンジスタ等で構成されるスイッチである。また、直流モータ２Ａに直列に接続される抵抗の数は、３個に限らず２個、または４個以上であってもよい。
【００３１】
なお、前述したようにＣＰＵ１の消費電流信号Ａを電流検出回路３により検出する目的は、ＣＰＵ１の使用温度を間接的に検出することが目的であり、この電流検出回路３の代わりに、ヒートシンク１１上にサーミスタ１２を配置し、サーミスタ１２からの信号によりＣＰＵ１の温度を検出し、ＣＰＵ温度信号Ｔを生成する温度検出回路３Ａを設けるようにしてもよい。
【００３２】
図３は、上記構成のＣＰＵ冷却装置の制御の流れを示すフローチャートである。以下、図３を参照して、その制御の流れについて説明する。
【００３３】
画像形成装置の電源が投入されると（ステップＳ１）、ＣＰＵ１及びＣＰＵ冷却装置が起動し、電流検出回路３にてＣＰＵ１の消費電流が検出され、ＣＰＵ１の消費電流信号Ａが生成される（ステップＳ２、Ｓ３）。なお、このＣＰＵ消費電流の検出は、この例では５秒毎に行う。しかしながら、この検出周期は、ヒートシンク１１及びファン２により冷却されるＣＰＵ１の熱的時定数（ＣＰＵ１の発熱量に対する温度上昇の時定数）に応じて決定されるものであり、実際に使用される機器の実測結果を基に決定されるものである。
【００３４】
続いて、回転数制御回路５では、上記消費電流信号Ａに応じてファン２の回転数が設定されると共に、ファン回転数の設定信号Ｂが生成される（ステップＳ４、Ｓ５）。電源切替回路６では、回転数制御回路５から出力されるファン回転数の設定信号Ｂに応じて、上記ファン２を駆動する駆動電源Ｃの電圧レベルが決定される（ステップＳ６、Ｓ７）。
【００３５】
続いて、ステップＳ８に移行し、電源切替回路６にて駆動電源Ｃの電圧レベルの大きさが判定される。
例えば上記ファン２が使用電圧１０Ｖ〜２４Ｖで駆動されるファンである場合に、駆動電源Ｃ＞１２Ｖのときは供給元を＋２４Ｖに切替え（ステップＳ８、Ｓ９）、駆動電源Ｃ＜１２Ｖのときは上記供給元を＋１２Ｖに切替える（ステップＳ８、Ｓ１０）。
【００３６】
次に、電源切替回路６は、電源供給元７の電源（＋２４Ｖ電源または＋１２Ｖ電源）を供給元電源切替スイッチＳ１２、Ｓ２４により切替えた上で、ファン２の直列抵抗Ｒ１、Ｒ２、Ｒ３を抵抗選択スイッチＳ１、Ｓ２、Ｓ３で切り替えることにより、駆動電源Ｃの電圧レベルを調整し（ステップＳ１１）、この駆動電源Ｃの電圧をファン２に供給する（ステップＳ１２）。つまり、ファン２の回転数が低く、駆動電源Ｃの電圧が低い場合には、電源供給元から＋１２Ｖを選択し直列抵抗における電力損失を最小限に抑えることで、省エネルギー化と静音化を図る。ファン２は冷却風ＤをＣＰＵ１及びヒートシンク１１に供給する（ステップＳ１３、Ｓ１４）。
【００３７】
さらに、回転数検出回路４により現状のファン２の回転数を検出し、ファン２の回転により発生する加振周波数が固有振動数と一致するか否かを判定し（ステップＳ１５）、一致する場合にはファン回転数を微調整する微調整信号Ｅを生成し（ステップＳ１６）、ステップＳ４に移行してファン回転数を再調整する。これにより、ファンの回転により発生する加振周波数が固有振動数と一致しないようにして、静音化を図ることができる。
【００３８】
一方、ステップＳ８において、駆動電源Ｃが１２〜１３Ｖ付近と判定された場合（ステップＳ１７）、すなわち、ＣＰＵの消費電流がそれ程大きくなく、かつ、当該領域（Ｃ＝１２〜１３Ｖ）におけるＣＰＵ１の消費電流と温度上昇の関係が予め実測されており、ＣＰＵ１の温度上昇に余裕があることが予め判明している場合は、駆動電源Ｃが１２Ｖとなるように上記ファン２の回転数を意図的に低下させ（ステップＳ１８）、冷却よりも省エネを優先させる。
【００３９】
上述した一連の制御を５秒毎に更新し、ＣＰＵ１の消費電流（稼動状態）に合わせてファン２の回転数を制御し、省エネルギー化と静音化の面で最適化された冷却風を常にＣＰＵに対して提供する。
【００４０】
以上説明したように、本発明のＣＰＵ冷却装置においては、ファンの回転数に応じて、ファンの駆動電源の電源供給元の切り替えと、ファンと電源供給元の電源との間に挿入される抵抗の抵抗値の調整を行うようにしたので、これにより、省エネルギー化と、静音化を図ることができる。さらに、ファンの回転により発生する加振周波数と固有振動周波数が一致しないようにファン回転数を微調整することによって静音化を図ることができる。
【００４１】
以上、本発明の実施の形態について説明したが、本発明のＣＰＵ冷却装置及び該ＣＰＵ冷却装置を使用した画像形成装置においては、上述の図示例にのみ限定されるものではなく、本発明の要旨を逸脱しない範囲内において種々変更を加え得ることは勿論である。
【図面の簡単な説明】
【００４２】
【図１】本発明の実施の形態に係るＣＰＵ冷却装置の構成を示す図である。
【図２】図１に示すＣＰＵ冷却装置の具体的な構成を示す図である。
【図３】ＣＰＵ冷却装置における制御の流れを示すフローチャートである。
【符号の説明】
【００４３】
１・・・ＣＰＵ、１Ａ・・・電源供給線、２・・・ファン、２Ａ・・・直流モータ、３・・・電流検出回路、３Ａ・・・温度検出回路、４・・・回転数検出回路、５・・・回転数制御回路、６・・・電源切替回路、７・・・電源供給元、１１・・・ヒートシンク、１２・・・サーミスタ、２１・・・反射型光センサ、６１・・・スイッチ切替部、Ｒ１、Ｒ２、Ｒ３、Ｒｓ・・・抵抗、Ｓ１、Ｓ２、Ｓ３・・・抵抗選択スイッチ、Ｓ１２、Ｓ２４・・・供給元切替スイッチ
【図１】
2008216382.tif 000003
【図２】
2008216382.tif 000004
【図３】
2008216382.tif 000005